(57)【特許請求の範囲】
【請求項１】
機体の前部に掻込リール（Ａ）を配置し、該掻込リール（Ａ）の後部に刈刃機構（１）と、掻寄オーガー（Ｂ）を配置し、該掻寄オーガー（Ｂ）により掻き寄せた飼料作物を、上部搬送装置（Ｄ）を介して、上方のベールチャンバー（Ｃ）へ搬送してベールとする自走式ロールベーラーにおいて、前記掻寄オーガー（Ｂ）の後端と、該上部搬送装置（Ｄ）の下部の先端との間に、刈り取った飼料作物を裁断する第一カッター機構（Ｋ１）を配置したことを特徴とする自走式ロールベーラー。
【請求項２】
請求項１記載の自走式ロールベーラーにおいて、前記上部搬送装置（Ｄ）の上部の後端と、前記ベールチャンバー（Ｃ）との間に、搬送した飼料作物を、更に裁断する第二カッター機構（Ｋ２）を配置したことを特徴とする自走式ロールベーラー。
【請求項３】
請求項１又は請求項２記載の自走式ロールベーラーにおいて、前記刈刃機構（１）により切断する飼料作物を、水田に植生された青がり水稲としたことを特徴とする自走式ロールベーラー。
【発明の詳細な説明】
【０００１】
【発明の属する技術分野】
本発明は、家畜の飼料作物として、青狩りの水稲等の作物を利用する場合において、この水稲を引き起こして、刈取り、ベールチャンバーに搬送して、ベールとして保存や持回りを容易に形に成型して集束する自走式ロールベーラーの構成に関するものである。
【０００２】
【従来の技術】
従来から、自走式ロールベーラーに関する技術は、特開昭６１−２５４１２３号公報のような技術が公知とされている。また、掻込リールや掻寄オーガーを設けたコンバインに関する技術は、特開平１−２５６３１３号公報の如き技術が公知とされている。
【０００３】
【発明が解決しようとする課題】
本発明は、飼料として、従来のような燕麦等の背丈の低い飼料作物ではなくて、水稲のように背丈が高くて倒れ易く、また該飼料作物を刈取後に乾燥することなく、刈取と同時にベールチャンバーに送って、青い状態でベールにする場合において、威力を発揮する自走式ロールベーラーを提供するものである。
【０００４】
【課題を解決するための手段】
本発明が解決しようとする課題は以上の如くであり、次に該課題を解決するための手段を説明する。
請求項１においては、機体の前部に掻込リール（Ａ）を配置し、該掻込リール（Ａ）の後部に刈刃機構（１）と、掻寄オーガー（Ｂ）を配置し、該掻寄オーガー（Ｂ）により掻き寄せた飼料作物を、上部搬送装置（Ｄ）を介して、上方のベールチャンバー（Ｃ）へ搬送してベールとする自走式ロールベーラーにおいて、前記掻寄オーガー（Ｂ）の後端と、該上部搬送装置（Ｄ）の下部の先端との間に、刈り取った飼料作物を裁断する第一カッター機構（Ｋ１）を配置したものである。
請求項２においては、請求項１記載の自走式ロールベーラーにおいて、前記上部搬送装置（Ｄ）の上部の後端と、前記ベールチャンバー（Ｃ）との間に、搬送した飼料作物を、更に裁断する第二カッター機構（Ｋ２）を配置したものである。
請求項３においては、請求項１又は請求項２記載の自走式ロールベーラーにおいて、前記刈刃機構（１）により切断する飼料作物を、水田に植生された青がり水稲としたものである。
【０００５】
【発明の実施の形態】
次に本発明の実施の形態を説明する。図１は、本発明の自走式ロールベーラーの全体右側面図、図２は、同じく本発明の自走式ロールベーラーの全体平面図、図３は、ベールチャンバーＣの部分の詳細を図示した全体右側面図、図４は、全体左側面図、図５は、ベールチャンバーＣからベールＲを放出した状態の右側面図、図６は、飼料作物を切断する第一カッター機構Ｋ１の切断刃７と掻込ロール８と切断刃回転体９の部分の拡大図、図７は、上部搬送装置Ｄの部分を第一カッター機構Ｋ１の吹上筒１０で兼用した場合の実施例を示す図面である。
【０００６】
図１・図２・図３において、本発明の詳細な構成を説明する。本発明の自走式ロールベーラーは、クローラ式走行装置Ｅの上に搭載されている。クローラ式走行装置Ｅの上には、後部にベールチャンバーＣが配置されており、該ベールチャンバーＣの前には、エンジン室１１が設けられている。該エンジン室１１の上部には、運転席５が設けられており、該運転席５の前には、操縦ハンドル４が立設されている。前記運転席５と操縦ハンドル４に対して、進行方向の右側の位置に、掻寄オーガーＢが配置されている。該掻寄オーガーＢの後端は、ベールチャンバーＣに向かって、刈取・裁断した飼料作物を投入すべく開口されている。
【０００７】
前記上部搬送装置Ｄの先端は、下方に向いて配置されており、上部搬送装置Ｄの先端部分には第一カッター機構Ｋ１が配置されている。該第一カッター機構Ｋ１が配置された部分から左右方向に刈取デッキ１２が配置されている。該刈取デッキ１２の下方には、該刈取デッキ１２を昇降する為の昇降アクチュエータ２０が配置されている。また、前記上部搬送装置Ｄの内部には、飼料作物を上方へ搬送する為の掻上げチェーン３が配置されている。該掻上げチェーン３の上面に飼料作物を乗せて搬送すべく構成しても良いし、または掻上げチェーン３の下方と上部搬送装置Ｄのケースとの間で、飼料作物を掻上げるべく構成しても良いものである。前記刈取デッキ１２内には掻寄オーガーＢが配置されている。該掻寄オーガーＢの下方の前部には、刈刃機構１が配置されている。該刈刃機構１は、分草装置２・２により分草しながら刈取を行うべく構成されており、バリカン刃により構成されている。該刈刃機構１の上部で掻寄オーガーＢの前には、水平回転軸を中心に回転する掻込リールＡが配置されている。該掻込リールＡが回転することにより、倒伏している牧草等の飼料作物を引き起こすべく構成している。
【０００８】
そして、図２と図３と図４と図５においては、掻寄オーガーＢと上部搬送装置Ｄの先端との間に第一カッター機構Ｋ１を設ける以外に、上部搬送装置Ｄの後端とベールチャンバーＣとの間に、第二カッター機構Ｋ２を配置した構成も開示している。該第二カッター機構Ｋ２は、牧草が長い作物である場合において、また刈刃機構１により刈り取ったままで、ベールチャンバーＣにおいてベールＲに構成する場合に、飼料の茎が固い為に、ベールチャンバーＣ等でベールＲを構成しにくい場合が発生するので、このような場合において、ベールＲが構成し易いように、一定の短い長さの状態に飼料作物を切断する為に必要なのである。
【０００９】
図３・図４・図５において図示するベールチャンバーＣの構成について説明する。ベールチャンバーＣは、内部で出来上がったベールＲを外部に排出可能とするように、前部チャンバー室１５と後部チャンバー室１３に分割可能に構成している。前部チャンバー室１５と後部チャンバー室１３とは、上部の枢支軸を中心に回動開放可能に構成しており、該後部チャンバー室１３を開閉する為に、開閉アクチュエータ１４が、後部チャンバー室１３と開閉アクチュエータ１４との間に介装されている。
【００１０】
また、ベールチャンバーＣ内に送り込まれて来る裁断飼料作物を、回転してベールＲに成型する成型ローラー１６が、ベールチャンバーＣの内面に複数本配列されており、内部で強制駆動回転されている。前記成型ローラー１６が回転することにより、ベールチャンバーＣの内部に投入された裁断飼料作物は、内部で回転しながら、雪だるまの如く、徐々に、新たに投入される裁断飼料作物を外周に巻付けながら、径を大きくして行くのである。そして、最終的に、ベールチャンバーＣの内部一杯にベールＲが成長すると、該ベールＲの周囲には、紐ケース１７内に配置された巻付け紐が垂下されて、ベールＲの周囲には、成型ローラー１６によるベールＲの回転に伴って、徐々に紐が巻付けられて、開閉アクチュエータ１４により、ベールＲが外部に放擲されても、ベールＲの成型状態が崩れることの無いように構成しているのである。
【００１１】
前記ベールチャンバーＣ内で一杯に大径に成長したベールＲが、開閉アクチュエータ１４により後部チャンバー室１３を開放することにより、外部へ放擲されると、次にまた、上部搬送装置ＤからベールチャンバーＣの内部に裁断された飼料作物が投入されて、ベールチャンバーＣの内部にベールＲが成型され始めるのである。エンジン室１１と運転席５の後部には、オペレータ又は補助者が乗降可能な作業ステップ１８が配置されている。
【００１２】
図６と図７において、該第一カッター機構Ｋ１の構成を説明する。通常のロールベーラーの場合には、飼料作物をいったんリーパーにより刈り取ってから、数日間天日干しをし、飼料作物の水分が蒸発して、枯れ草状態となってから、ピッカーにより圃場面から枯れ草状態の飼料作物を拾い上げて、ベールチャンバーＣによりベールＲに構成する方式をとっている。しかし、本発明の自走式ロールベーラーにおいては、圃場面に立毛状態の背丈の高い飼料作物を、引起して刈取ると同時に、ベールチャンバーＣ内に投入してベールＲに構成するものであるから、乾燥作業が行われおらず、飼料作物の茎が固くて、十分に成型ローラー１６によるベールＲへの巻き込みが行われない場合が存在するのである。
【００１３】
本発明は、このような生の飼料作物をベール化する場合の為に、飼料作物を第一カッター機構Ｋ１により細かく裁断して、成型ローラー１６によるベール化を容易とする長さに裁断しているのである。前記第一カッター機構Ｋ１は、回転すべく構成された切断刃回転体９の外周に、切断刃７が固定されている。そして、上下に設けられた掻込ロール８・８により掻き込まれて、回転する切断刃回転体９と切断刃７により切断される。該切断刃７による切断に際して、掻上げの為の風が発生するので、吹上筒１０の部分を使用して、上部搬送装置Ｄの代わりに、裁断飼料作物を、ベールチャンバーＣに吹き込み搬送すべく構成しても良いものである。
【００１４】
【発明の効果】
本発明は以上の如く構成したので、次のような効果を奏するものである。
請求項１の如く、機体の前部に掻込リールＡを配置し、該掻込リールＡの後部に刈刃機構１と、掻寄オーガーＢを配置し、掻寄オーガーＢにより掻き寄せた飼料を、上部搬送装置Ｄを介して、上方のベールチャンバーＣへ搬送してベールとするので、圃場に植栽状態の飼料作物を、引起しながら刈取り、そのままで、ベールＲとすることが出来、従来の如く、リーパーで刈り取った後に、圃場で乾燥し、次に、ピッカーで拾い上げながら、ヘイベーラーでベールＲとするという手間を省くことが出来たものである。
特に、休耕田において植栽した水稲の、青がり状態で、飼料として刈取りベールＲとする場合において、掻込リールＡや掻寄オーガーＢが設けられていることにより、倒伏した水稲の場合にも、確実に刈り取ってベールＲとすることが出来るのである。
【００１５】
また、前記掻寄オーガー（Ｂ）の後端と、該上部搬送装置（Ｄ）の下部の先端との間に、刈り取った飼料作物を裁断する第一カッター機構（Ｋ１）を配置したので、裁断した状態で上部搬送装置Ｄにより上部搬送するので、上部搬送装置Ｄにおいて、飼料作物が詰まったりすることが少なくなったのである。
【００１７】
請求項２の如く、請求項１記載の自走式ロールベーラーにおいて、請求項１記載の自走式ロールベーラーにおいて、前記上部搬送装置（Ｄ）の上部の後端と、前記ベールチャンバー（Ｃ）との間に、搬送した飼料作物を、更に裁断する第二カッター機構（Ｋ２）を配置したので、刈り取ったばかりで、生の状態で、ベールチャンバーＣに入れてもなかなかベールＲに形成できない飼料作物でも、短尺の状態に裁断してベールチャンバーＣに投入することにより、確実にベールＲとすることが可能となったのである。
また、第二カッター機構Ｋ２の駆動機構を、容易に構成することが出来たものである。
【００１８】
請求項３の如く、請求項１又は請求項２に記載の自走式ロールベーラーにおいて、前記刈刃機構（１）により切断する飼料作物を、水田に植生された青がり水稲したので、倒伏したりした場合にも、確実に刈取って、ベールＲとすることが可能となったものである。
【図面の簡単な説明】
【図１】  本発明の自走式ロールベーラーの全体右側面図。
【図２】  同じく本発明の自走式ロールベーラーの全体平面図。
【図３】  ベールチャンバーＣの部分の詳細を図示した全体右側面図。
【図４】  本発明の自走式ロールベーラーの全体左側面図。
【図５】  ベールチャンバーＣからベールＲを放出した状態の右側面図。
【図６】  飼料を切断するカッター機構Ｋの切断刃７と掻込ロール８と切断刃回転体９の部分の拡大図。
【図７】  上部搬送装置Ｄの部分をカッター機構Ｋの吹上筒１０で兼用した場合の実施例を示す図面。
【符号の説明】
Ａ  掻込リール
Ｂ  掻寄オーガー
Ｃ  ベールチャンバー
Ｄ  上部搬送装置
Ｅ  クローラ式走行装置
１  刈刃機構
２  分草装置
３  掻上げチェーン
４  操縦ハンドル
１２  刈取デッキ
【図１】
0004445678.tif 000002
【図２】
0004445678.tif 000003
【図３】
0004445678.tif 000004
【図４】
0004445678.tif 000005
【図５】
0004445678.tif 000006
【図６】
0004445678.tif 000007
【図７】
0004445678.tif 000008